【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
複数の反射面を有し、回転駆動することによって光源から出射された光ビームを偏向する回転多面鏡と、前記回転多面鏡により偏向された前記光ビームを感光体に結像させる結像レンズと前記回転多面鏡に偏向された前記光ビームを前記感光体に導く反射ミラーの少なくとも一部を含む光学部材と、を内部に収容し、前記感光体を走査する前記光ビームを通過させる開口が形成された光走査装置の筐体であって、
前記光学部材が配置された第１配置空間と前記回転多面鏡が配置された第２配置空間とを隔てて前記第２配置空間から前記第１配置空間への前記回転多面鏡の回転によって生じる音の伝播を低減する遮音部材であって、前記回転多面鏡により偏向された前記光ビームが出射される透明窓を有する前記遮音部材を取り付け可能な取付部と、
前記取付部に前記遮音部材が取り付けられる場合に前記開口を塞ぐ透明部材であって、前記光ビームを前記筐体の内部から外部に通過させる前記透明部材を支持するための第１支持部と、
前記取付部に前記遮音部材が取り付けられない場合に前記開口を塞ぐ透明部材であって、前記光ビームを前記筐体の内部から外部に通過させ且つ前記第１支持部が支持する前記透明部材よりも厚い透明部材を支持するための第２支持部と、
を備え、
前記第１支持部に支持される前記透明部材の光ビーム出射面と前記第２支持部に支持される前記透明部材の光ビーム出射面とが略同一平面となるように、前記第１支持部の前記透明部材に接触する座面よりも前記第２支持部の前記透明部材に接触する座面が前記光学部材が配置される前記筐体の内部側に位置することを特徴とする光走査装置の筐体。
【請求項２】
前記筐体は、前記第１支持部に支持された前記透明部材又は前記第２支持部に支持された前記透明部材の前記光ビーム出射面に接触して、前記第１支持部に支持された前記透明部材又は前記第２支持部に支持された前記透明部材を前記第１支持部の前記座面又は前記第２支持部の前記座面に付勢させる固定部材を備えることを特徴とする請求項１に記載の光走査装置の筐体。
【請求項３】
前記第１支持部に支持された前記透明部材の長手方向の長さをＬ３、短手方向の長さをｂ１、厚さをｔ１とし、
前記第２支持部に支持された前記透明部材の長手方向の長さをＬ４、短手方向の長さをｂ２、厚さをｔ２としたときの大小関係は、
前記Ｌ３＞前記Ｌ４、前記ｂ１＞前記ｂ２、前記ｔ１＜前記ｔ２
を満たすことを特徴とする請求項２に記載の光走査装置の筐体。
【請求項４】
前記遮音部材は、前記光源から出射された前記光ビームを前記第２配置空間の外から当該第２配置空間に入射させるための透明窓を更に有し、
前記第１支持部に支持された前記透明部材と前記第２支持部に支持された前記透明部材の厚さの差は、前記光源から出射された前記光ビームを前記第２配置空間の外から当該第２配置空間に入射させるための前記透明窓及び前記回転多面鏡により偏向された前記光ビームを前記第２配置空間から前記第１配置空間に出射させるための前記透明窓の材質と屈折率とに応じて設定されることを特徴とする請求項３に記載の光走査装置の筐体。
【請求項５】
前記光源から出射された前記光ビームを前記第２配置空間の外から当該第２配置空間に入射させるための前記透明窓及び前記回転多面鏡により偏向された前記光ビームを前記第２配置空間から前記第１配置空間に出射させるための前記透明窓により生じる前記感光体でのピントのズレ量をＬ１とすると、
前記第１支持部に支持された前記透明部材による光路長と前記第２支持部に支持された前記透明部材による光路長との差は、略Ｌ１であることを特徴とする請求項４に記載の光走査装置の筐体。
【請求項６】
前記光源から出射された前記光ビームを前記第２配置空間の外から当該第２配置空間に入射させるための前記透明窓及び前記回転多面鏡により偏向された前記光ビームを前記第２配置空間から前記第１配置空間に出射させるための前記透明窓により生じる前記感光体でのピントのズレ量をＬ１とし、前記光源から出射された前記光ビームを前記第２配置空間の外から当該第２配置空間に入射させるための前記透明窓によって生じるピントのズレ量をＬ２としたとき、
前記第１支持部に支持された前記透明部材による光路長と前記第２支持部に支持された前記透明部材による光路長との差は、略（Ｌ１−Ｌ２）であることを特徴とする請求項４に記載の光走査装置の筐体。
【請求項７】
前記光源から出射された前記光ビームを前記第２配置空間の外から当該第２配置空間に入射させるための前記透明窓及び前記回転多面鏡により偏向された前記光ビームを前記第２配置空間から前記第１配置空間に出射させるための前記透明窓により生じる前記感光体でのピントのズレ量をＬ１とし、前記光源から出射された前記光ビームを前記第２配置空間の外から当該第２配置空間に入射させるための前記透明窓によって生じるピントのズレ量をＬ２としたとき、
前記第１支持部に支持された前記透明部材による光路長と前記第２支持部に支持された前記透明部材による光路長との差は、略（Ｌ１−Ｌ２／２）であることを特徴とする請求項４に記載の光走査装置の筐体。
【請求項８】
前記第１支持部に支持された前記透明部材の光ビーム出射面及び前記第２支持部に支持された前記透明部材の光ビーム出射面は、清掃部材により清掃可能であることを特徴とする請求項５から請求項７のいずれか１項に記載の光走査装置の筐体。
【請求項９】
前記清掃部材は、フレームと、前記フレームの先端に前記第１支持部に支持された前記透明部材又は前記第２支持部に支持された前記透明部材の汚れを拭うための不織布と、を有することを特徴とする請求項８に記載の光走査装置の筐体。
【請求項１０】
前記固定部材は、短手方向の断面が凸形状の溝部を有し、
前記清掃部材の前記フレームは、前記溝部に挿入可能な凸形状を有することを特徴とする請求項９に記載の光走査装置の筐体。
【請求項１１】
前記固定部材は、前記筐体と前記第１支持部に支持された前記透明部材の光ビーム出射面又は前記第２支持部に支持された前記透明部材の光ビーム出射面とをつなぐ橋部を有することを特徴とする請求項１０に記載の光走査装置の筐体。
【請求項１２】
前記固定部材の前記溝部の短手方向の幅は、前記第１支持部に支持された前記透明部材の短手方向の長さ及び前記第２支持部に支持された前記透明部材の短手方向の長さよりも短いことを特徴とする請求項１１に記載の光走査装置の筐体。
【請求項１３】
前記開口に設けられ、前記第１支持部及び前記第２支持部を有する窓部材を備え、
前記窓部材は、前記第１支持部の前記座面の外周に沿って設けられ、前記第１支持部に支持された前記透明部材に接触する第１接触部と、前記第２支持部の前記座面の外周に沿って前記第１支持部の前記座面と前記第２支持部の前記座面との間に設けられ、前記第２支持部に支持された前記透明部材に接触する第２接触部と、を有することを特徴とする請求項１２に記載の光走査装置の筐体。
【請求項１４】
前記窓部材は、前記筐体の内部を防塵するための溶融した防塵部材を注入するためのゲート部と、前記ゲート部から注入された前記防塵部材が流れる流路であって、前記固定部材による付勢によって前記第１支持部に支持された前記透明部材又は前記第２支持部に支持された前記透明部材が接触するように前記第１接触部又は前記第２接触部が形成される前記流路と、を有することを特徴とする請求項１３に記載の光走査装置の筐体。
【請求項１５】
前記ゲート部は、１つであることを特徴とする請求項１４に記載の光走査装置の筐体。
【請求項１６】
前記筐体は、複数の前記開口を備えることを特徴とする請求項１から請求項１５のいずれか１項に記載の光走査装置の筐体。
【請求項１７】
請求項１から請求項１６のいずれか１項に記載の筐体を備えることを特徴とする光走査装置。
【手続補正２】
【補正対象書類名】明細書
【補正対象項目名】００１０
【補正方法】変更
【補正の内容】
【００１０】
（１）複数の反射面を有し、回転駆動することによって光源から出射された光ビームを偏向する回転多面鏡と、前記回転多面鏡により偏向された前記光ビームを感光体に結像させる結像レンズと前記回転多面鏡に偏向された前記光ビームを前記感光体に導く反射ミラーの少なくとも一部を含む光学部材と、を内部に収容し、前記感光体を走査する前記光ビームを通過させる開口が形成された光走査装置の筐体であって、前記光学部材が配置された第１配置空間と前記回転多面鏡が配置された第２配置空間とを隔てて前記第２配置空間から前記第１配置空間への前記回転多面鏡の回転によって生じる音の伝播を低減する遮音部材であって、前記回転多面鏡により偏向された前記光ビームが出射される透明窓を有する前記遮音部材を取り付け可能な取付部と、前記取付部に前記遮音部材が取り付けられる場合に前記開口を塞ぐ透明部材であって、前記光ビームを前記筐体の内部から外部に通過させる前記透明部材を支持するための第１支持部と、前記取付部に前記遮音部材が取り付けられない場合に前記開口を塞ぐ透明部材であって、前記光ビームを前記筐体の内部から外部に通過させ且つ前記第１支持部が支持する前記透明部材よりも厚い透明部材を支持するための第２支持部と、を備え、前記第１支持部に支持される前記透明部材の光ビーム出射面と前記第２支持部に支持される前記透明部材の光ビーム出射面とが略同一平面となるように、前記第１支持部の前記透明部材に接触する座面よりも前記第２支持部の前記透明部材に接触する座面が前記光学部材が配置される前記筐体の内部側に位置することを特徴とする光走査装置の筐体。